(57)【要約】      （修正有）【課題】普段には、暗証番号を合せる時間を要することなしに、携帯電話等の外部通信によりモータ駆動で簡単に施錠及び解錠でき、非常時にダイヤルを照合して解錠するキーボックスを提供する。【解決手段】ダイヤル式キーボックスにおいて、扉内にＢＬＥ受信部を設けた通信基板を内蔵し、ＢＬＥ通信によりモータを駆動し、モータ軸と一体化されたウオームギアの回転により矢印方向にロックプレート作動ワイヤが移動し、ロックプレート作動ワイヤの傾斜部ＣがロックプレートのＤ部を支点に先端Ｅ部を矢印Ｆ方向にダイヤルロック状態のロックプレートを強制的に動かし、ロックブロックを後退させることによりラッチが降下出来る体勢となり、ラッチプッシュボタンを押すと、扉を開けることができる。また、キーボックスの扉を閉じて、ＢＢＬＥ通信により施錠信号を送信し、モータを逆転駆動させることで、解錠動作の逆動作により施錠させることができる。【選択図】図７
2019019511.tif 000002
【特許請求の範囲】
【請求項１】
キーボックスにおいて、二個以上の０〜９の番号を持ったダイヤルを設定した任意の数字に合せて、扉を開ける構造であって、扉内にＢＬＥ受信部を設けたＢＬＥ通信基盤を内蔵し、ＢＬＥ通信によりモータを駆動し、モータ軸と一体化されたウオームギアのねじ溝部にロックプレートに嵌めていて、ウオームギアの回転により矢印Ｂ方向にロックプレート作動ワイヤが移動し、ロックプレート作動ワイヤの傾斜部ＣがロックプレートのＤ部を支点に先端Ｅ部を矢印Ｆ方向にダイヤルロック状態のロックプレートを強制的に動かし、ロックブロックを後退させることによりラッチが降下出来る体勢となり、ラッチプッシュボタンを押すと、扉を開けることができ、また、キーボックスの扉を閉じて、扉にＢＬＥ通信により施錠信号を送信し、モータを逆転駆動させて上記解錠動作の逆動作により施錠させることができることを特徴とするＢＬＥ通信又はダイヤル照合による施錠・解錠キーボックス。
【発明の詳細な説明】
【技術分野】
【０００１】
この発明は、ＢＬＥ通信によりモータを駆動して施錠及び解錠できるダイヤル式キーボックスに関する。
【背景技術】
【０００２】
既存のダイヤル式キーボックスにおいて、二個以上の０〜９の番号を持ったダイヤルを設定した任意の数字（暗証番号）に合せて、扉１には、ダイヤルが照合すると、ダイヤル５に設けられた溝Ａに図１−１から図１−２に示す様に、ロックプレート４が入り込むことによりロックブロック３がラッチ２の突起部から離れ、ラッチ２が降下できる体勢となる。ここで、ラッチプッシュボタン６を図２の矢印方向により押すことにより、ラッチ作動レバー７が図３のように回転し、ラッチ２が降下することで、扉１を開けることがである。ラッチプッシュボタン６を離すと、ラッチ２がラッチスプリング１３のリターン力により上昇する。けれども、それは非常時として使用し、普段は携帯電話等の外部通信によりモータ駆動で簡単に解錠できることが要望されていた。
【先行技術文献】
【特許文献】
【０００３】
【特許文献１】特許第５１５３７４９号公報
【特許文献２】米国特許第８３４１９８６号明細書
【発明の概要】
【発明が解決しようとする課題】
【０００４】
この発明の課題は、ダイヤル式キーボックスにおいて、普段には、暗証番号を合せる時間を要することなしに、携帯電話等の外部通信によりモータ駆動で簡単に施錠及び解錠でき、非常時にダイヤルが照合して解錠するキーボックスを提供することである。
【課題を解決するための手段】
【０００５】
この課題は、既存のダイヤル式キーボックスにおいて、扉内にＢＬＥ受信部を設けた通信基板を内蔵し、ＢＬＥ通信によりモータを駆動し、モータ軸と一体化されたウオームギアのねじ溝部にロックプレート作動ワイヤを嵌めていて、ウオームギアの回転により矢印Ｂ方向にロックプレート作動ワイヤが移動し、ロックプレート作動ワイヤの傾斜部ＣがロックプレートのＤ部を支点に先端Ｅ部を矢印Ｆ方向にダイヤルロック状態のロックプレートを強制的に動かし、ロックブロックを後退させることによりラッチが降下出来る体勢となり、ラッチプッシュボタンを押すと、扉を開けることを特徴とするＢＬＥ通信による施錠・解錠キーボックスによって、解決される。
【０００６】
更に、本発明の施錠・解錠キーボックスでは、キーボックスの扉を閉じて、扉にＢＬＥ通信基盤を内蔵したＢＬＥ受信部へＢＬＥ通信により施錠信号を送信して、モータを逆転させて、施錠させることもできる。
【発明の効果】
【０００７】
この発明のキーボックスによると、ロックプレート作動ワイヤがウオームギアのねじ溝部に嵌まり、回転と共に追従する様にしてあり、ウオームギア以外のギアを使用しないために、部品点数が非常に少なくて済む。
【０００８】
この発明によると、ストロークをオーバーしてもねじ山を乗り上げ、空回りする構造にしてあり、モータのロックによる過大負荷（オーバーロード）を防ぐ様にしてある。
【０００９】
この発明によると、ロックプレート作動ワイヤの機構により、ダイヤル式キーボックスでありながら、モータ駆動によるロック解除を可能にした。
【００１０】
この発明によると、何らかの原因、例えば、スマートフォンなどを携帯しなくＢＬＥ通信できない等により電気的解錠できなくとも、ダイヤルを備えているので、ダイヤルを照合して解錠できる。
【図面の簡単な説明】
【００１１】
【図１】キーボックスの扉にダイヤルを備えるダイヤル式キーボックスの扉の裏面透視正面図と側面断面図を示す。
【図１−１】ロックプレートが溝Ａから出た状態の側面断面図を示す。
【図１−２】ロックプレートが溝Ａに入り込む状態の側面断面図を示す。
【図２】ラッチプッシュボタンを押す方向を示すキーボックス扉部の裏面透視正面図と側面断面図を示す。
【図３】ラッチプッシュボタンを押込んだ状態のキーボックス扉部の裏面透視正面図と側面断面図を示す。
【図４】本発明のＢＬＥ受信部を設けたキーボックス扉を斜視図で示す。
【図５】本発明のスマートフォンによりＢＬＥ通信基盤を内蔵したキ−ボックス扉を開ける斜視図を示す。
【図６】本発明の解錠時のロックブロックの前進状態出のキーボックス扉の正面断面図、側面断面図と横断断面図を示す。
【図７】本発明の解錠時のロックブロックの後退状態のキーボックス扉の正面断面図、側面断面図と横断断面図を示す。
【図８】本発明の施錠時のロックブロックの後退状態のキーボックス扉の正面断面図、側面断面図と横断断面図を示す。
【図９】本発明の施錠時のロックブロックの前進状態のキーボックス扉の正面断面図、側面断面図と横断断面図を示す。
【発明を実施するための形態】
【００１２】
次に、この発明は、図面に基づいて実施例を詳細に説明される。
【実施例】
【００１３】
本発明は、ダイヤル式キーボックスをベースとしてブルースツース（ＢＬＥ通信）を使用し、スマートフォンにより解錠し、鍵を取り出せる電気式キーボックスを提供する。また、何らかの原因で電気的解錠できなくとも、ダイヤルを備えているので、暗証番号での解錠も出来る特徴も備えている。
【００１４】
図４は、ＢＬＥ受信部１４を備えるＢＬＥ通信基盤を内蔵したイメージと外観を現し、図５は、スマートフォン１５等による通信により解錠し、扉１を開けた図である。
【００１５】
次に、電気式キーボックスの解錠動作（ａ）としてモータ駆動によるロック解除構造を説明する。
【００１６】
図６では、モータ９のウオームギア１０のねじ溝部にロックプレート作動ワイヤ１１（ピアノ線）を嵌めることで、ウオームギア１０の回転が反時計廻りに回転（図６のａ）すると、矢印Ｂ方向にロックプレート作動ワイヤ１１が移動する。ここで、ロックブロック３は前進状態にある。
【００１７】
図７では、ロックプレート作動ワイヤ１１の傾斜部Ｃがロックプレート４のＤ部を支点に先端Ｅ部を矢印Ｆ方向にダイヤルロック状態のロックプレート４を強制的に動かし、ロックブロック３を後退させることによりラッチ２が降下できる体勢となり、ラッチプッシュボタン６を押込んで扉１を開けることができる。
【００１８】
ロックプレート作動ワイヤ１１の傾斜部Ｃがロックプレート先端Ｅ部を押し下げる動きをスムーズ（上記動きをこじれず）に行う様に、扉１にロックプレート作動ワイヤ１１が摺動する溝Ｇ部を設け、ロックプレート作動ワイヤ１１のＨ部（Ｊ、Ｋ）がラッチカバープレート８の内壁面を平行に滑る様にした。
【００１９】
また、電気式キーボックスを施錠する、即ちダイヤルロック状態にする施錠動作（ｂ）の際に、キーボックスの扉を閉じて、扉にＢＬＥ通信基盤を内蔵したＢＬＥ受信部へＢＬＥ通信により施錠信号を送信して、モータを逆転させて、施錠させることもできる。
【００２０】
更に詳述すると、図８では、モータ９のウオームギア１０は、ロック解除とは逆に、時計廻りに回転（図８のｂ）すると、矢印Ｌ方向にロックプレート作動ワイヤ１１が移動する。
【００２１】
図９では、ロックプレート作動ワイヤ１１の傾斜部Ｃが、ロックプレート４の先端Ｅ部から離れると、Ｅ部に働いていた矢印Ｆ方向の力が無くなり、ロックプレート４はＤ点を支点にロックプレートリターンスプリング１２のリターン力により矢印Ｎ方向に戻される。ロックブロック３が後退し、ラッチ２の下降を阻止し、ロック状態になる。
【００２２】
但し、これは、ダイヤルロック状態におけるモータ駆動によるロック解除及びロック動作である。また、ウオームギアの回転方向は、正転、逆転の動きを意味しているため、記載方向に対して反対でも良い。
【符号の説明】
【００２３】
１．．．．扉
２．．．．ラッチ
３．．．．ロックブロック
４．．．．ロックプレート
５．．．．ダイヤル
６．．．．ラッチプッシュボタン
７．．．．ラッチ作動レバー
８．．．．ラッチカバープレート
９．．．．モータ
１０．．．．ウオームギア
１１．．．．ロックプレート作動ワイヤ
１２．．．．ロックプレートリターンスプリング
１３．．．．ラッチスプリング
１４．．．．ＢＬＥ受信部
１５．．．．スマートフォン
【図１】
2019019511.tif 000003
【図１−１】
2019019511.tif 000004
【図１−２】
2019019511.tif 000005
【図２】
2019019511.tif 000006
【図３】
2019019511.tif 000007
【図４】
2019019511.tif 000008
【図５】
2019019511.tif 000009
【図６】
2019019511.tif 000010
【図７】
2019019511.tif 000011
【図８】
2019019511.tif 000012
【図９】
2019019511.tif 000013
【手続補正書】
【提出日】平成29年9月11日(2017.9.11)
【手続補正１】
【補正対象書類名】明細書
【補正対象項目名】００１３
【補正方法】変更
【補正の内容】
【００１３】
本発明は、ダイヤル式キーボックスをベースとしてブルートゥース（ＢＬＥ通信）を使用し、スマートフォンにより解錠し、鍵を取り出せる電気式キーボックスを提供する。また、何らかの原因で電気的解錠できなくとも、ダイヤルを備えているので、暗証番号での解錠も出来る特徴も備えている。